(57)【要約】【課題】光源の光漏れを防止することのできる埋込形標識灯を提供する。【解決手段】埋込形標識灯１は、上面側に複数の投光窓９を備えた上部灯体５およびこの上部灯体５の下部５Ａを覆合して上部灯体５とともに内部空間を形成する下部灯体６を有する標識灯本体２と、投光窓９から光を放射するように内部空間に配設されている複数の光源３と、本体部１９およびこの本体部１９の外周の少なくとも一部に設けられた弾性変形可能な密着部２０を有し、密着部２０が上部灯体５および下部灯体６のそれぞれの内面に密着して光源３，３間を仕切るように配設されている遮光部材４とを具備する。【選択図】図１
2005146568.tif 000002
【特許請求の範囲】
【請求項１】
上面側に複数の投光窓を備えた上部灯体およびこの上部灯体の下部を覆合して上部灯体とともに内部空間を形成する下部灯体を有する標識灯本体と；
投光窓から光を放射するように内部空間に配設されている複数の光源と；
本体部およびこの本体部の外周の少なくとも一部に設けられた弾性変形可能な密着部を有し、密着部が上部灯体および下部灯体のそれぞれの内面に密着して光源間を仕切るように配設されている遮光部材と；
を具備していることを特徴とする埋込形標識灯。
【発明の詳細な説明】
【技術分野】
【０００１】
本発明は、互いに異なる方向に放射光が出射される複数の光源を有する埋込形標識灯に関する。
【背景技術】
【０００２】
空港の滑走路や誘導路などの路面に埋め込み設置される航空標識灯には、複数の方向、例えば２方向に投射するものがある。この航空標識灯は、それぞれ独立に点灯可能な２個の光源を具備しており、他方向への光漏れを防ぐために、光源を遮光板等により区画された空間に収納している。例えば、航空標識灯本体が上部灯体および下部灯体の組合せで形成されている航空標識灯において、上部灯体に一体に形成され上部灯体から下方に突出した区画壁部により、光源等の部品が収納される下部灯体の部品収納空間（内部空間）を区画しているものがある（例えば、特許文献１参照。）。
【特許文献１】特開２０００−３１４１１３号公報（第５〜６頁、第１図）
【発明の開示】
【発明が解決しようとする課題】
【０００３】
特許文献１は、配線が区画壁部により損傷されることなく部品収納空間に案内されて収納されるものであり、上部灯体から突出した区画壁部の角部が下部灯体の底面部に密着または接触し難い構造であるので、底面部側から光源の漏れ光が生じるおそれがある。
【０００４】
本発明は、光源の光漏れを防止することのできる埋込形標識灯を提供することを目的とする。
【課題を解決するための手段】
【０００５】
請求項１に記載の埋込形標識灯の発明は、上面側に複数の投光窓を備えた上部灯体およびこの上部灯体の下部を覆合して上部灯体とともに内部空間を形成する下部灯体を有する標識灯本体と；投光窓から光を放射するように内部空間に配設されている複数の光源と；本体部およびこの本体部の外周の少なくとも一部に設けられた弾性変形可能な密着部を有し、密着部が上部灯体および下部灯体のそれぞれの内面に密着して光源間を仕切るように配設されている遮光部材と；を具備していることを特徴とする。
【０００６】
埋込形標識灯は、空港用、道路用など多用な用途のいずれであってもよい。
【０００７】
光源は、光を放射するものであればよく、ハロゲンランプ、白熱電球、蛍光ランプ、ＨＩＤランプや発光ダイオードなど、特に限定されない。また、光源は、反射鏡付きであってもよい。
【０００８】
遮光部材は、上部灯体または下部灯体のいずれに取り付けられていてもよい。また、遮光部材は、板状に限らず、他の形状であってもよい。また、密着部は、少なくとも上部灯体および下部灯体のそれぞれの内面に密着する箇所に形成されていればよい。
【０００９】
そして、本体部は、剛性を有するものであれば、金属に限らず、プラステックや磁器などであってもよい。この場合、耐熱性を有していることが好ましい。また、金属は、形状記憶性の合金を許容する。
【００１０】
密着部は、容易に弾性変形するものであればよく、その材料としては、シリコンやフッ素樹脂などの耐熱性を有するものが好ましい。また、密着部は、光漏れが生じないように、その先端部がブラシ状に形成されてもよい。
【００１１】
本発明によれば、遮光部材の密着部が弾性変形して上部灯体および下部灯体のそれぞれの内面に密着するので、それらの間に間隙が生じず、上部灯体および下部灯体のそれぞれの内面側からの光漏れが防止される。この結果、遮光部材により、互いの光源からの光漏れが防止される。
【発明の効果】
【００１２】
請求項１の発明によれば、遮光部材は、上部灯体および下部灯体により形成される内部空間を仕切るように光源間に配設され、密着部が弾性変形して上部灯体および下部灯体のそれぞれの内面に密着しているので、上部灯体および下部灯体のそれぞれの内面と遮光部材の間に間隙が生じず、互いの光源からの光漏れを防止することができる。
【発明を実施するための最良の形態】
【００１３】
以下、本発明の一実施の形態について、図面を参照して説明する。まず、本発明の第１の実施形態について説明する。
【００１４】
図１〜図４は、本発明の第１の実施形態を示し、図１は航空標識灯の概略縦断面図、図２（ａ）は上部灯体の下面図、図２（ｂ）は下部灯体の上面図、図３は遮光板を示し、図３（ａ）は上面図、図３（ｂ）は正面図、図４は遮光板の密着部の先端部を示し、図４（ａ）は図３（ｂ）のＡ−Ａ方向の一部断面図、図４（ｂ）は図３（ｂ）のＢ−Ｂ方向の断面図、図４（ｃ）は図３（ｂ）のＣ−Ｃ方向の断面図である。
【００１５】
図１〜図２において、埋込形標識灯としての航空標識灯１は、標識灯本体としての航空標識灯本体２、光源３および遮光部材としての遮光板４を有して構成されている。この航空標識灯１は、例えば滑走路や誘導路の路面に埋設されている基台に設置される。
【００１６】
航空標識灯本体２は、上部灯体５および下部灯体６を有してなり、上部灯体５の下部５Ａを下部灯体６の上部６Ａが図示しない防水パッキンを介して水密に覆合している。
【００１７】
上部灯体５は、略円盤状に形成され、図１に示すように、上面側に膨出部７および光導出溝８を備えている。膨出部７は、中央に円形の平坦な頂面および頂面から上部灯体５の周縁にわたる円錐斜面からなる切頭円錐形状をなして上部灯体５の上面側に画成されている。光導出溝８は、上部灯体５の中心を中心とする点対称の位置に、その一対が互い違いに配設されている。そして、光導出溝８は、膨出部７の切頭円錐斜面に開口するとともに、航空標識灯本体２の内部空間に連通し、その連通部に投光窓９が形成されている。すなわち、上部灯体５は、図２（ａ）に示すように、上面側に複数の投光窓９を備えている。
【００１８】
そして、投光窓９は、その内部に図示しないプリズムを水密に固着している。また、上部灯体５の周縁部には、上部灯体５および下部灯体６を結合して航空標識灯本体２を形成する位置合わせ用の孔１０および複数のねじ孔１１と、航空標識灯本体２を基台に固着するための複数のボルト挿通孔１２が形成されている。
【００１９】
下部灯体６は、図２（ｂ）に示すように、皿状をなしていて、周縁部には、上部灯体５の位置合わせ用の孔１０に対向するねじ孔１３、ねじ孔１１に対向する挿通孔１４およびボルト挿通孔１２に対向するボルト挿通孔１５が形成されている。上部灯体５は、図１に示すように、下部灯体６のねじ孔１３にねじ１６が螺合された後、ねじ１６のねじ部に上部灯体５の位置合わせ用の孔１０が挿入されて、下部５Ａが下部灯体６の上部６Ａに覆合される。そして、上部灯体５は、下部灯体６の挿通孔１４を挿通した図示しないねじが上部灯体５のねじ孔１１に螺合されて、下部灯体６に固定される。
【００２０】
そして、下部灯体６には２灯の反射鏡１７付きの光源３が配設され、リード線１８により図示しない電源装置に接続されている。光源３，３は、例えばハロゲンランプからなり、上部灯体５の投光窓９，９から光を放射するように、互いに略１８０°異なる方向に向けて航空標識灯本体２の内部空間に配設されている。また、下部灯体６には、図１または図２（ｂ）に示すように、光源３，３間に位置して航空標識灯本体２の内部空間を仕切る遮光板４が配設されている。
【００２１】
遮光板４は、図３に示すように、金属板例えば厚さ１．０ｍｍのステンレス（ＳＵＳ）板からなる薄板状の本体部１９およびこの本体部１９の外周に接着して設けられたシリコンからなる密着部２０を有して、厚さ２．５ｍｍの略長方形状に形成されている。そして、本体部１９は、下部灯体６の段差や螺子等の突出部あるいは上部灯体５の内面形状に合うように、部分的に切り欠きが形成され、さらに、その横方向の中央において二箇所で折曲されている。また、密着部２０は、図４（ａ）〜図４（ｃ）に示すように、その先端部２０ａが細い形状に形成されている。これにより、上部灯体５および下部灯体６のそれぞれの内面や他の部品などと接触したときに、容易に変形や屈曲して、密着性が損なわれないようにしている。
【００２２】
また、遮光板４は、図３（ａ）に示すように、本体部１９と一体的に形成されて外方に突出させた一対の突片２１，２１を設けている。この突片２１には、孔２２が設けられている。そして、この孔２２を介して、ねじ止めされることにより、遮光板４は、図２（ｂ）に示すように、光源３，３間に位置するように下部灯体６に固定され、航空標識灯本体２の内部空間を仕切っている。
【００２３】
そして、上部灯体５および下部灯体６が覆合しているときに、遮光板４の密着部２０は、その先端部２０ａが図４（ａ）〜図４（ｃ）に示すように細く形成されているので、容易に弾性変形する。この結果、密着部２０は、図１に示すように、上部灯体５および下部灯体６のそれぞれの内面に密着するようになる。
【００２４】
なお、密着部２０の先端部２０ａは、上部灯体５および下部灯体６のそれぞれの内面との間、さらに先端部２０ａ自身から光漏れが生じないように形成されていればよく、図４に示すように平坦状に形成される他に、例えばブラシ状に形成されてもよい。
【００２５】
次に、本発明の第１の実施形態の作用について述べる。
【００２６】
図２において、例えば、光源３Ａから放射された光のうち、上部灯体５の投光窓９Ａに入射された光は、当該投光窓９Ａから航空標識灯本体２の外部の所定の方向に向かって放射される。しかし、投光窓９Ａに入射されなかった光は、上部灯体５の内面、下部灯体６の内面および航空標識灯本体２の内部空間に配設されている部品等により反射される。そして、この反射された光のうち、他方の投光窓９Ｂに向かう光が漏れ光として発生することになる。
【００２７】
投光窓９Ａから放射される光は、当該投光窓９Ａに対向して配設されている光源３Ａからの光であれば所定の方向に放射されることになる。しかし、他方の光源３Ｂからの漏れ光が包含されると、この漏れ光は乱光となりやすく、視認に障害を与えるようになる。しかしながら、光源３，３間に航空標識灯本体２の内部空間を仕切るようにして遮光板４が配設されているので、遮光板４により、光源３，３間の漏れ光が遮断されるようになる。
【００２８】
すなわち、上部灯体５に下部灯体６が覆合されたときに、遮光板４の密着部２０の先端部２０ａが弾性変形して上部灯体５の内面および下部灯体６の内面にそれぞれ密着している。したがって、光源３が点灯したときに、上部灯体５および下部灯体６のそれぞれの内面と密着部２０との間から光源３の漏れ光が防止される。
【００２９】
そして、光源３やその他の部品の取り付け、交換を行うとき、遮光板４の突片２１のねじを取り外すことにより、遮光板４を下部灯体６から取り外すことができるので、下部灯体６において、当該取り付けや交換作業が行いやすくなる。
【００３０】
次に、本発明の第２の実施形態について説明する。
【００３１】
図５〜図６は、本発明の第２の実施形態を示し、図５は航空標識灯の概略縦断面図、図６（ａ）は上部灯体の下面図、図６（ｂ）は下部灯体の上面図である。なお、図１〜図２と同一部分には同一符号を付して説明は省略する。
【００３２】
図５〜図６に示す航空標識灯２３は、遮光板２４が上部灯体５に一体的に設けられたものである。遮光板２４は、長方形状に形成され、本体部１９の一端（一辺）が上部灯体５の内面に溶接等により一体的に取り付けられている。また、遮光板２４は、図５に示すように、上部灯体５の内壁５Ｂ，５Ｂ間にわたらず、中央部の所定範囲にわたって配設されている。そして、上部灯体５および下部灯体６が覆合しているときに、遮光板２４は、光源３，３間に位置しているとともに、密着部２０が下部灯体６の底面（内面）６ｂに弾性変形して密着されている。
【００３３】
そして、上部灯体５は、図６（ａ）に示すように、内側に膨出している膨出部２５，２５が形成されている。また、下部灯体６には、図６（ｂ）に示すように、内側に突出している段差部２６，２６が形成されている。
【００３４】
遮光板２４の本体部１９の一端が取り付けられている上部灯体５の取付部および密着部２０が密着している下部灯体６の底面（内面）６ｂには間隙が生じないので、当該箇所からの光源３の光漏れが防止される。また、上部灯体５の膨出部２５，２５および下部灯体６の段差部２６，２６が光源３からの光漏れを防止する。この結果、上部灯体５および下部灯体６により形成される内部空間において、互いの光源３からの漏れ光が防止される。
【００３５】
そして、遮光板２４は上部灯体５に配設されているので、上部灯体５および下部灯体６が覆合していないときには、図６（ｂ）に示すように、下部灯体６から光源３，３間を仕切る遮光板２４がなくなるため、光源３等の交換作業が容易に行える。
【図面の簡単な説明】
【００３６】
【図１】本発明の第１の実施形態を示す航空標識灯の概略縦断面図。
【図２】同じく、航空標識灯を示し、（ａ）は上部灯体の下面図、（ｂ）は下部灯体の上面図。
【図３】同じく、遮光板を示し、（ａ）は上面図、（ｂ）は正面図。
【図４】同じく、遮光板の密着部の先端部を示し、（ａ）は図３（ｂ）のＡ−Ａ方向の一部断面図、（ｂ）は図３（ｂ）のＢ−Ｂ方向の断面図、（ｃ）は図３（ｂ）のＣ−Ｃ方向の断面図。
【図５】本発明の第２の実施形態を示す航空標識灯の概略縦断面図。
【図６】同じく、航空標識灯を示し、（ａ）は上部灯体の下面図、（ｂ）は下部灯体の上面図。
【符号の説明】
【００３７】
１，２３…埋込形標識灯としての航空標識灯
２…標識灯本体としての航空標識灯本体
３…光源
４，２４…遮光部材としての遮光板
【図１】
2005146568.tif 000003
【図２】
2005146568.tif 000004
【図３】
2005146568.tif 000005
【図４】
2005146568.tif 000006
【図５】
2005146568.tif 000007
【図６】
2005146568.tif 000008